(57)【要約】  ディスペンサ，浴室装置のフラッシュバルブ，衛生条件測定装置，ハンドフリー蛇口等の装置に電力及び／又は通信を提供するため，１種以上の技術及び／又はシステムを提供する。例えば，装着システムは，壁などの構造体に取り付けることが可能な装着板を備える。装着板は，装置の装置コネクターと接合して接続を確立するように構成し得る装着コネクターを備えてもよい。接続を介して電力を装置に供給してもよい。接続を介して通信を装置に提供してもよい。例えば装置は，現時点での装置の状態，使用量の計量及び／又は他の情報を遠隔ソースに送信することも可能である。遠隔ソースは命令，データ収集要求，機能変更及び／又は他の情報を装置に送信することも可能である。【選択図】図１Ａ
2017514535.tif 000002
【特許請求の範囲】
【請求項１】
電力又は通信の少なくとも１つをディスペンサに提供するための装着システムであって， 
構造体に設置するように構成された装着板；及び，
前記装着板又は前記ディスペンサの少なくとも１つに支持され，電力の電圧を約１８ボルト未満まで降下するよう構成された電圧降下装置を備え，
前記装着板が，前記ディスペンサを前記装着板に取り付けるように構成された装着構造；及び
前記ディスペンサの装置コネクターと接合し，前記装着板とディスペンサとの接続を確立するように構成された装着コネクターを備え，
前記装着コネクターが，
前記接続を介してディスペンサに電力を供給し；又は，
前記接続を介してディスペンサに通信を提供する
ことを特徴とする装着システム。
【請求項２】
前記接続がネットワークに接続されることを特徴とする請求項１記載の装着システム。
【請求項３】
前記装着板は：
前記装着コネクターを保護するように構成された保護構造体を備えることを特徴とする請求項１記載の装着システム。
【請求項４】
前記保護構造体はシールリング，ガスケット，リブ又はシールのうち少なくとも１つを備えることを特徴とする請求項３記載の装着システム。
【請求項５】
前記装着板と前記ディスペンサとの接続が，前記ディスペンサの装置電圧と同等の電圧を有するパワーオーバー・イーサネット接続，ブラインド嵌合イーサネット接続，ｃａｔ‐５接続，電話接続，又はインターフェース接続のうちの少なくとも１つから成ることを特徴とする請求項１記載の装着システム。
【請求項６】
前記電圧降下装置が前記装着板に支持されることを特徴とする請求項１記載の装着システム。
【請求項７】
前記電圧降下装置が前記ディスペンサに支持されることを特徴とする請求項１記載の装着システム。
【請求項８】
前記装着コネクターは前記装置コネクターと無線で接合するように構成されていることを特徴とする請求項１記載の装着システム。
【請求項９】
前記装着コネクターは誘導結合を介して前記装置コネクターと接合するように構成されていることを特徴とする請求項８記載の装着システム。
【請求項１０】
前記装着コネクターは：
前記ディスペンサから遠隔装置までの通信を，前記接続を介して簡易化するように構成されていることを特徴とする請求項１記載の装着システム。
【請求項１１】
前記装着コネクターは：
現時点の装置の状態，使用量の計量，メンテナンス情報，ハートビート信号，ディスペンサがサポートする機能のリスト，ディスペンサに表示された現況の視覚情報，特定した衛生状況，サービス要求，又は補充レベルのうち少なくとも１つを，前記接続を介して前記遠隔装置に提供するように構成されていることを特徴とする請求項１０記載の装着システム。
【請求項１２】
前記装着コネクターは：
遠隔装置から前記ディスペンサまでの通信を，前記接続を介して簡易化するように構成されていることを特徴とする請求項１記載の装着システム。
【請求項１３】
前記装着コネクターは：
命令，データ収集要求，製品の分配量の変更，表示サービス指示命令，ディスプレイ表示変更命令，ソフトウェア更新，又は機能変更のうち少なくとも１つを，前記接続を介して前記ディスペンサに提供するように構成されていることを特徴とする請求項１２記載の装着システム。
【請求項１４】
前記装着板は：
前記接続に関する漏電遮断器を備えることを特徴とする請求項１記載の装着システム。
【請求項１５】
電力及び通信のために装着板と結合するように構成されたディスペンサであって， 
装着システムの前記装着板に取り付けるように構成された装置構造；及び，
装置コネクターを備えた装置ハウジングを備え，
前記装置コネクターが：
前記装着板の装着コネクターと接合し，前記ディスペンサと前記装着板との接続を確立し；
前記接続を介して前記ディスペンサのための電力を受信し；更に，
前記接続を介してディスペンサのための通信を確立する
ことを特徴とするディスペンサ。
【請求項１６】
前記装置ハウジングは：
現時点の装置の状態，使用量の計量，メンテナンス情報，ハートビート信号，装置がサポートする機能のリスト，装置に表示されている現況の視覚情報，特定した衛生状況，サービス要求，又は補充レベルのうち少なくとも１つを，前記接続を介して遠隔装置に提供する通信モジュール
を備えることを特徴とする請求項１５記載の装置。
【請求項１７】
前記装置ハウジングは：
命令，データ収集要求，製品の分配量の変更，表示サービス指示命令，ディスプレイ表示変更命令，又は機能変更のうち少なくとも１つを，前記接続を介して遠隔装置から受信する通信モジュール
を備えることを特徴とする請求項１５記載の装置。
【請求項１８】
前記装置ハウジングは：
前記装着コネクターを保護するように構成された保護構造体；
前記装置の装置電圧に基づいて前記接続により生じる電圧を降下するように構成された電圧降下装置；又は
前記装置の装置電流に基づいて前記接続により生じる電流を制限するように構成された電流制限装置，
の少なくとも１つを備えることを特徴とする請求項１５記載の装置。
【請求項１９】
ディスペンサ，蛇口，フラッシュバルブ，浴室装置，衛生状況測定装置又は衛生装置のうち少なくとも１つを備えることを特徴とする請求項１５記載の装置。
【請求項２０】
電力又は通信の少なくとも１つを装置に提供するための装着システムであって， 
構造体に設置するように構成された装着板であって：
前記装置が鍵機構の条件を満たす場合に前記装着板への前記装置の着脱可能な取付けを可能にし，前記装置が鍵機構の条件を満たさない場合に前記装着板への前記装置の取付けを阻止するように構成した鍵機構を備える装着構造；及び
前記装置の装置コネクターと接合し，前記装着板と前記装置との接続を確立するように構成され， 
前記接続を介して前記装置に電力を供給し；又は，
前記接続を介して前記装置に通信を提供する装着コネクター；及び
前記装着板又は前記装置の少なくとも１つで支持された阻止部又は取付け部の少なくとも１つであって，前記阻止部は装置が鍵機構の条件を満たさない場合に前記装着板への前記装置の取付けを阻止すように構成され，前記取付け部は前記装置が前記鍵機構の条件を満たす場合に前記装着板に前記装置を着脱可能に取り付けできるように構成される，阻止部又は取付け部
を備えることを特徴とする装着システム。
【請求項２１】
前記構造体は固定設置面を備えることを特徴とする請求項２０記載の装着システム。
【請求項２２】
前記鍵機構は，電気的鍵機構，電磁気的鍵機構又は電気機械的鍵機構のうち少なくとも１つを備えることを特徴とする請求項２０記載の装着システム。
【請求項２３】
前記阻止部が前記装置に支持され，前記阻止部は，前記阻止部が前記装着構造への前記装置の取付けを阻止する伸長位置と，前記阻止部が前記装着構造に対する前記装置の取付けを可能にする後退位置間で可動であることを特徴とする請求項２０記載の装着システム。
【請求項２４】
前記取付け部が前記装置に支持され，前記取付け部が，該取付け部による前記装着板への前記装置の取り付けを行わない後退位置と，前記取付け部による前記装着板への前記装置の取り付けを行う伸長位置間で移動可能であることを特徴とする請求項２０記載の装着システム。
【請求項２５】
前記装着板又は前記装置の少なくとも１つと通信するように構成された外部装置を備え，前記外部装置は選択的に鍵機構の条件が満たされているときに前記装着構造への前記装置の着脱可能な取り付けを可能にするよう構成されていることを特徴とする請求項２０記載の装着システム。
【請求項２６】
ディスペンサに対する装着板の電気的な認証方法であって：
固定装着面に取り付けた前記装着板に近接させて前記ディスペンサを配置する工程；及び
前記装着板；
前記ディスペンサ；及び，
外部装置
の少なくとも２つの間で情報の転送を簡易化し，前記装着板への前記ディスペンサの取付けを可能にする工程
を含む方法。
【請求項２７】
ディスペンサであって：
ネットワークに接続され，前記ディスペンサに電力を供給するように構成された通信ケーブルと接続するように構成された通信ポート；及び
前記通信ポートと電気的に接続され，電力の電圧を約１８ボルト未満まで降下するように構成された電圧降下装置
を備えるディスペンサ。
【発明の詳細な説明】
【発明の詳細な説明】
【０００１】
関連出願の相互参照
本出願は，２０１４年１月１７日出願の米国特許仮出願第６１／９２８，５２２号に対する優先権を主張し，上記出願の開示するところは参照によりその全体が本明細書に援用される。
【技術分野】
【０００２】
本出願は全体として，ディスペンサ，フラッシュバルブ，蛇口等の装置のための装着システム(mounting system)を目的としている。例えば，本出願はそのような装置に電力及び通信を提供するための方法及び／又はシステムを目的としている。
【背景技術】
【０００３】
病院，工場，レストラン，家庭等，多くの場所では，製品を分配するためのディスペンサ，シンク用のタッチフリー蛇口及び／もしくはトイレ用フラッシュバルブ，又は他の浴室用装置など衛生用装置を利用している。例えば，ディスペンサは液体製品，粉末製品，エアゾール製品及び／又は他の製品（例えば石鹸，抗菌ジェル，洗剤，消毒剤，ローション等）を分配することができる。メンテナンスの容易さや環境問題等を考慮した詰め替え容器を利用するディスペンサもある。詰め替え容器は，例えばポンプ及び／又はノズル機構を備えてもよく，これらは詰め替え容器から製品を分配するディスペンサによって使用可能になる。ディスペンサ及び／又は他の装置は，操作のために電池又はＡＣアダプターなどの電源を利用してもよい。
【発明の概要】
【０００４】
本概要は，以下の詳細な説明でさらに記載されるコンセプトの抜粋を簡略化した形で紹介するために提供される。本概要は，特許請求の対象の主要な要素又は本質的な特徴を明らかにするものではなく，また，特許請求の対象範囲を限定するために用いられるものでもない。
【０００５】
特に，電力及び／又は通信を装置に提供するための１つ以上のシステム及び／又は技術が本明細書において提案されている。一例では，装着システムは，ディスペンサに電力又は通信のうち少なくとも１つを提供するために設けることが可能である。装着システムは，構造体に取り付けるように構成された装着板(mounting plate)を備えている。装着板は，ディスペンサを装着板に取り付けるように構成された装着構造を持つ。装着板には，ディスペンサの装置コネクターと接合して装着板とディスペンサとの接続を確立するように構成された装着コネクターが備えられる。装着コネクターは，接続を介してディスペンサに電力を供給すること，又は接続を介してディスペンサと通信することのうち少なくとも一方を行うように構成されている。装着システムは，装着板又はディスペンサの少なくとも１つに支持される電圧降下装置を備えている。電圧降下装置は，電源の電圧を約１８ボルト未満まで降下するように構成されている。
【０００６】
別の例では，ディスペンサは，給電及び通信用の装着板と接合するように構成されている。ディスペンサには，装着システムの装着板に取り付けられるように構成された装置装着構造を備える装置ハウジングが備えられる。装置ハウジングには，装着板の装着コネクターと接合してディスペンサと装着板との接続を確立し，接続を介してディスペンサ用の電力を受信し，接続を介してディスペンサとの通信を確立するように構成された装置コネクターが備えられる。
【０００７】
別の例では，ディスペンサに電力及び通信を提供する方法は，装着システムの装着板にディスペンサを取り付ける工程を含む。この方法は，ディスペンサの装置コネクターと装着板の装着コネクターとを接合させ，ディスペンサと装着板との接続を確立する工程を含む。この方法は，接続を介してディスペンサに電力を供給する工程を含む。この方法は，接続を介してディスペンサに通信を提供する工程を含む。
【０００８】
別の例では，電力又は通信の少なくとも１つを装置に対し提供するための装着システムが提案される。装着システムは，構造体に設置するように構成された装着板を備える。装着板は鍵機構を有する装着構造を有し，この構造は，装置が鍵機構の条件を満たした場合に装置を装着板へ着脱可能に取付けることを可能にし，装置が鍵機構の条件を満たさない場合には装着板に装置を取付けることができないように構成されている。装着板は，装置の装置コネクターと接合して装着板と装置との接続を確立するように構成された装着コネクターを備える。装着コネクターは，接続を介して装置に電力を供給すること，又は接続を介して装置に通信を提供することのいずれか一方を行うように構成されている。装着システムは，接続板又は装置の少なくとも１つに支持された阻止部又は取付け部の少なくとも１つを備える。阻止部は，装置が鍵機構の条件を満たさない場合に，装着板への装置の取付けを阻止するように構成されている。取付け部は，装置が鍵機構の条件を満たす場合に，装置を装着板へ着脱可能に取付けることを可能にするよう構成されている。
【０００９】
別の例では，ディスペンサに対する装着板の電気的な認証方法が提供される。この方法は，固定装着面に取り付けられた装着板に近接させてディスペンサを配置する工程を含んでいる。この方法は，装着板，ディスペンサ及び外部装置の内の少なくとも２つの間で，装着板にディスペンサを取付けることを可能にするための情報の転送を簡易化する工程を含む。
【００１０】
上記及び関連する目的を達成するため，以下の説明及び添付の図面で，いくつかの例示的な態様及び実施について記載する。これらは，１つ以上の態様を採用することができる様々な方法を示すものであるが，ただし，そのうちのほんのいくつかにすぎない。本開示の他の態様，効果，及び新規の特徴は，添付の図面を併用して考察される以下の詳細な説明から明らかになるであろう。
【図面の簡単な説明】
【００１１】
【図１Ａ】装置に電力及び／又は通信を提供する例示的な方法を示すフロー図である。
【図１Ｂ】ディスペンサに対する装着板の電気的な認証に関する例示的な方法を示すフロー図である。
【図２Ａ】装置に電力及び／又は通信を提供する例示的な装着システムを示す部品ブロック図である。
【図２Ｂ】装着システムに取り付けた装置の一例の説明図である。
【図２Ｃ】装置と遠隔装置との通信の簡易化に関する一例の説明図である。
【図２Ｄ】装置と遠隔装置との通信の簡易化に関する一例の説明図である。
【図２Ｅ】電圧降下装置及び電流制限装置を備える装置の説明図である。
【図２Ｆ】電圧降下装置，電流制限装置及び漏電遮断器を備える装着板の説明図である。
【図３Ａ】電力及び／又は通信を装置に提供するための例示的な装着システムを示す要素ブロック図である。
【図３Ｂ】装着システムに取り付けた装置の一例の説明図である。
【図４Ａ】装置に電力及び／又は通信を提供する例示的な装着システムを示す要素ブロック図である。
【図４Ｂ】装着システムに取り付けた装置の一例の説明図である。
【図５】電力通信接続線に接続した蛇口装置の一例の説明図である。
【図６】電力通信接続線に接続したフラッシュバルブ装置の一例の説明図である。
【図７】電力通信接続線に接続したフラッシュバルブ装置の一例の説明図である。
【図８】装着システムの一例の説明図である。
【図９ａ】装着板の一例の説明図である。
【図９ｂ】装着板の一例の説明図である。
【図１０】装置の一例の説明図である。
【図１１】装着システムの一例の説明図である。
【図１２ａ】装着システムの一例の説明図である。
【図１２ｂ】装着システムの一例の説明図である。
【図１３】システムの一例の説明図である。
【図１４】コンピュータ可読媒体の例を示した説明図であり，ここでは本明細書に記載した発明の１つ以上を具体化するように構成されたプロセッサ実行可能命令が含まれてもよい。
【図１５】本明細書に記載の発明の１つ以上を実装することができる例示的なコンピュータ環境を図示している。
【００１２】
詳細な説明
請求項に係る主題について図面を参照して以下で説明するが，このとき，類似の要素は，一般に，全体を通して同様の参照符号を用いて示している。以下の説明では，請求項に係る主題についての理解を与えるため，説明を目的として，様々な具体的で詳細に記載される。しかしながら，これら特定の詳細を省いても，請求項に係る主題を実施できることは明らかであろう。また，請求項に係る主題の説明を容易とするため，構造及びデバイスは，ブロック図の形式で示している。
【００１３】
装置（例えばディスペンサ）に電力及び／又は通信を提供する実施形態が，例示的な方法として図１の符号１００に示されている。当該方法は工程１０２で開始する。いくつかの例では，当該装置には，浴室装置，衛生装置，ディスペンサ，蛇口（例えば，タッチフリー又は自動蛇口），フラッシュバルブ，衛生状況測定装置（例えば，浴室に入る人数など，人数に基づく衛生状況の数値を特定する人数カウンター；患者のベッドの近傍に往来する看護師など，ある領域内にいる人物の特定に基づく衛生状況を特定する領域センサー等），及び／又はペーパータオルディスペンサなどの電力及び／又は通信情報を利用し得る他の装置が備えられる。工程１０４では，装置（例えばディスペンサ）を装着システムの装着板に取り付け得る。例えば，ディスペンサは，装置ハウジング（例えば，装置ハウジングはドライブトレイン，モータ，ディスペンサによって分配される製品の詰め替え容器，及び／又は他のディスペンサ部品を収容する。）を備えてもよい。装置ハウジングには，装着板の装着構造（例えば，ネジ穴，ブラケット及び／又は他の取付け部品）に取り付けられるように構成されている，装置の装着構造（例えば，ネジ，フック及び／又は他の取付け部品）を備えてもよい。このようにして，ディスペンサは，装置の装着構造及び／又は装着板の装着構造を利用するなどして装着板に取り付け得る。
【００１４】
工程１０６では，ディスペンサの装置コネクターは，ディスペンサと装着板との接続を確立させるために，装着板の装着コネクターと接合される。例えば接続には，イーサネット接続を介した電力，ブラインド嵌合イーサネット接続，ｃａｔ‐５接続，電話接続及び／又はディスペンサに接続性及び／又は電力を供給することができる他のインターフェース接続（例えば，乾燥感電の危険を避けるために約４２v以下に降下するか，又は湿性感電の危険を避けるために約１８v以下に降下できる電圧など，ディスペンサの装置電圧と同等の電圧を有する接続）が含まれる。一例では，装着コネクターは，接合を補助するためのフローティング構造に従って構成してもよい。別の例では，装置コネクターは接合を補助するためのフローティング構造に従って構成してもよい。一例では，装着板は，装着コネクター及び／又はディスペンサコネクターを保護するように構成し得る保護構造体（例えば，シール，シールリング，ガスケット，リブ等）を備えることも可能である。例えば，保護構造はこのようなコネクターを湿気，汚れ，破片，物理的損傷，液体（例えば，ディスペンサと装着システムとの間のミラーに流れ落ちるガラスクリーナー）等から保護することが可能である。
【００１５】
工程１０８において，電力は接続を介してディスペンサに供給し得る。例えば，通信及び／又は他の目的のための視覚化像（例えば，画像，ロゴ，光，映像，広告等）を表示するため，ディスペンサの操作に電力を使用してもよい。一例では，ディスペンサ及び／又は装着システムは，装置の装置電圧に基づいた接続により供給された電圧を降下するように構成された電圧降下装置を備えていてもよい。例えば，イーサネット接続を介した電力は５０vを供給することが可能であり，この電圧は乾燥感電の危険を軽減するために約４２v以下に降下するか，又は湿性感電の危険を軽減するために約１８v以下に降下してもよい。別の例では，ディスペンサ及び／又は装着システムは，装置の装置電流に基づいて接続部に流れる電流を制限するように構成された電流制限装置を備えてもよい。例えば，電流制限装置は電流を制限し，そうすることで装置に供給される電力は１５w未満になり，火災の危険が軽減できる。別の例では，ディスペンサ及び／又は装着ステムは，接続に関する漏電遮断器を備えてもよい。このようにして，安全な方法等での接続を介してディスペンサに電力を供給することができる。
【００１６】
工程１１０では，接続部を介して通信をディスペンサに提供し得る。例えば，装着板の装着コネクター，ディスペンサの装置コネクター及び／又はディスペンサの通信モジュールは，ディスペンサと遠隔装置との通信を簡易化することができる。一例では，通信モジュールは，現時点の装置の状態（例えば，操作，低電池残量，詰まりの検出，機械インピーダンスの検出，患者の部屋に入る看護師など衛生状況の検出），使用量の計量（例えば，蛇口又はトイレで使用された水量，ディスペンサによって分配された製品の量），メンテナンス情報（例えば，トイレのディスペンサ又は洗浄剤用の新しい詰め替え容器の装着など，最後のメンテナンスから経過した時間），ハートビート信号（例えば，在庫のため），装置がサポートする機能のリスト（例えば，ＲＦ機能，オーディオ機能，視覚化表示機能等），装置に表示されている現況の視覚情報（例えば，広告，メッセージ，映像等），特定した衛生状況（例えば，病院内設置等），サービス要求（例えば，メンテナンス，修理，交換等の要求），補充レベル（例えば，ディスペンサの詰め替え容器内に残留する製品の量等），及び／又は他の情報を，接続を介して遠隔へ提供するように構成してもよい。
【００１７】
別の例では，装置の通信モジュールは，命令（例えば，サービスのためにＲＦ信号を放出させる命令），データ収集要求（例えば，電池残量レベル，補充レベル，エラーメッセージのための要求），製品の分配量の変更（例えば，ディスペンサによって分配される製品，蛇口又は他の浴室装置で使用される水の量の減少又は増加），表示サービス指示命令（例えば，ＬＥＤを点滅させる命令），ディスプレイ表示変更命令（例えば，新規の広告を装置によりディスプレイで提供してもよい），機能変更，及び／又は様々な他の情報を，接続を介して遠隔装置から受信するように構成してもよい。この場合，接続は電力及び／又は接続（例えば通信）を装置に提供することができる。接続を介して電力及び通信を提供する工程には，電力及び通信を提供する能力及び／又は手段を提供する工程も含まれていることは十分に理解されているものとする。工程１１２で当該方法は終了する。
【００１８】
図１Ｂはディスペンサに対する装着板の電気的な認証に関する例示的な方法を示している。当該方法は工程１５２で開始する。工程１５４では，当該方法には，固定設置面に取り付けた装着板の近接にディスペンサを配置する工程が含まれる。一例では，装着板に近接して配置されることによって，ディスペンサは装着板から一定の距離内（例えば，約１０フィート未満，約５フィート未満，約３フィート未満）に置くことができる。装着板は，壁，ドア，窓，天井等の任意の数の固定設置面に取り付けることが可能である。
【００１９】
工程１５６では，当該方法は，装着板にディスペンサを取付け可能とするために，装着板，ディスペンサ及び外部装置の内の少なくとも２つの間で情報の転送を簡易化する工程を含む。一例では，この情報の転送は，鍵機構の条件が満たされた場合にディスペンサを装着板へ着脱可能に取付けることを可能となるよう構成している。別の例では，この情報の転送は，ディスペンサが鍵機構の条件を満たしていない場合にディスペンサの装着板への取付けが阻止されるように構成している。外部装置は例えば，携帯機器（例えば，携帯電話，ハンドヘルド装置，タブレット等），フォブ，又は情報を送信及び／又は受信することが可能な他の装置を備える。当該方法は工程１５８において終了する。
【００２０】
図２Ａは，ディスペンサなどの装置２２６に電力又は通信の少なくとも１つを提供する装着システム２００の例を示す。装着システム２００は装着板２１２を備える。装着板２１２は，構造体２２４（例えば壁）に設置するように構成してもよい。装着板２１２は，装着構造（例えば，第１装着溝２１４及び第２装着溝２１８）を備えてもよい。装着構造は，装着板２１２に装置２２６を取り付けるように構成してもよい。例えば，装置装着構造（例えば，第１フック２０６及び第２フック２１０）は，図２Ｂに示すように装着板２１２の装着構造に取り付けてもよく，ここでは第１フック２０６は第１装着溝２１４に取り付け／嵌合し，第２フック２１０は第２装着溝２１８に取り付け／嵌合させる。装置２２６を装着板２１２に取り付けると，シールなどの保護構造体２２０は装着板２１２の装着コネクター２１６及び／又は装置２２６の装置コネクター２０８を保護するように構成してもよい（例えば，装置２２６と装着板２１２との間にある構造体２２４から漏れ落ちた液体から保護する）。
【００２１】
図２Ｂ〜２Ｄに示されているように，装着板２１２は，接続２４０を確立するために，装置２２６の装置コネクター２０８と接合するように構成された（例えば，装置コネクター２０８は装置ハウジング２０２から外方に，その後下方に伸びる）装着コネクター２１６（例えばパワーオーバー・イーサネットコネクター）を備えている。装置２２６は装置ハウジング２０２を備えてもよい。装置ハウジング２０２は，装置コネクター２０８に連結した通信モジュール２２２を備えてもよい。通信モジュール２２２は，装置２２６と遠隔装置２４２との間の接続２４０を介した通信を簡易にするように構成してもよい。一例では，図２Ｃに図示されているように，遠隔装置２４２から接続２４０を介して装置２２６までの通信を簡易にすることも可能である。例えば，遠隔装置２４２は，命令，データ収集要求，ソフトウェアの更新，表示するための視覚化，及び／又は外部情報などの情報２４４を，接続２４０を通じ，装着コネクター２１６及び装置コネクター２０８を介して通信モジュール２２２に送信し，処理してもよい。別の例では，図２Ｄに示すように，装置２２６から，接続２４０を介して，遠隔装置２４２まで通信を簡易化してもよい。例えば，装置２２６の通信モジュール２２２は，現時点での装置の状態，使用量の計量，検出された衛生状況，メンテナンス情報及び／又は他の情報などの情報２５２を，接続２４０を通じて，装置コネクター２０８及び装着コネクター２１６を介して遠隔装置２４２に送信することも可能である。
【００２２】
一例では，図２Ｅに示すように，装置２２６は，電圧降下装置２６０及び／又は電流制限装置２６２を備えてもよい。別の例では，図２Ｆに示すように，装着板２１２は電圧降下装置２６０及び／又は電流制限装置２６２を備えてもよい。電圧降下装置２６０は，（例えば湿性感電の危険を軽減するために，約１８v以下の電圧を得るために）装置２２６の装置電圧に基づく接続２４０に流れる電力の電圧を降下するように構成してもよい。電流制限装置２６２は，（例えば，火災の危険を軽減するために，約１５w以下の電力を得るために）装置２２６の装置電流定格に基づく接続２４０に流れる電流を制限するように構成してもよい。一例では，図２Ｆに示すように，装着板２１２は，接続２４０に関する漏電遮断器２７０を備えていてもよい。漏電遮断器２７０は，接続２４０と連通したネットワーク及び／又は第２ディスペンサ又はフラッシュバルブなどの前記ネットワークに接続された他の装置を保護するように構成してもよい。この方法により，電力及び／又は通信を，比較的安全な方式で装着システム２００によって装置２２６に提供することも可能である。
【００２３】
電圧降下装置２６０及び／又は電流制限装置２６２は，装着板２１２及び／又は装置２２６（例えばディスペンサ）により支持可能であることは十分理解されているものとする。図２Ｅに図示した例では，電圧降下装置２６０及び電流制限装置２６２は装置２２６（例えばディスペンサ）に支持される。この例では，装置２２６（例えばディスペンサ）に供給される電力の電圧は，装置２２６内で約１８ボルト未満まで降下する。同様に，この例では，装置２２６に供給される電流は装置２２６内で制限される。他の例では，電圧降下装置２６０及び／又は電流制限装置２６２の類似した機能は，装着板２１２内に電圧降下装置２６０及び／又は電流制限装置２６２を支持することによって達成することが可能になる。
【００２４】
本明細書では，様々な装置コネクター構成及び／又は装着コネクター構成が考えられることは十分に理解し得る。一例では，図３Ａに示すように，装置２２６は装置コネクター３０２を備え，これは装置ハウジング２０２と相対的に同一平面とすることも可能である。装着板２１２は，装着コネクター３０４を備え，これは装着板２１２と相対的に同一平面とすることも可能である。図３Ｂに示すように，接合するときに装置コネクター３０２は装着コネクター３０４と操作可能に結合し，接続２４０を確立することが可能である。
【００２５】
別の例では，図４Ａに示すように，装置２２６は装置ハウジング２０２から外部へ伸長し得る装置コネクター４０２を備えてもよい。装着板２１２は装着板２１２の奥まった場所に配置し得る装着コネクター４０４を備えてもよい。図４Ｂに示すように，接合するときに装置コネクター４０２は装着コネクター４０４と操作可能に結合し，接続２４０を確立することが可能である。例えば，第１装置部品４０６が第１装着部品４１０に取り付けられ，第２装置部品４０８が第２装着部品４１２に取り付けられる場合など，装置２２６を装着板２１２に取り付けた際に両コネクターは嵌合可能である。
【００２６】
装置２２６や装着板２１２を含む装着システム２００は，本明細書で図示及び説明されている部品や構造体等に限定されるものではないということは十分に理解されているものとする。他の例では，装着板２１２及び／又は装置２２６のいずれか一方又は両方がアンテナを備えていてもよい。アンテナにより，装着板２１２と装置２２６との間で情報（例えば，命令，データ収集要求，表示するための視覚化，現時点での装置の状態，使用量の計量，検出された衛生状況，メンテナンス情報等）を送信／受信することが可能になる。いくつかの例では，アンテナ（単数又は複数）により装着板２１２，装置２２６及び／又は遠隔装置２４２の間で情報を送信及び／又は受信することが可能になる。このように，この例では装着コネクター２１６，３０４，４０４は装置コネクター２０８，３０２，４０２とワイヤレスに接合することが可能である。
【００２７】
図５は，接続線５１２に接続した蛇口装置５０８の例５００を示す。一例では，蛇口装置５０８は浴室内に配置してもよい（例えば，蛇口装置５０８には，化粧台５０４のシンクボウル５０６と壁構造体上の鏡５０２との間に装着されている自動タッチフリー蛇口が設けられてもよい）。蛇口装置５０８は装着システムの装着板５１０に取り付けてもよい。蛇口装置５０８の装置コネクターは装着板５１０の装着コネクターとの接合により，接続（線）５１２を確立することが可能である。このようにして，電力を蛇口装置５０８に供給することが可能であり，及び／又は蛇口装置５０８と遠隔装置間の通信を簡易化することが可能である。
【００２８】
図６は接続線６１０に接続したフラッシュバルブ装置６０４の例６００を示す。一例では，フラッシュバルブ装置６０４は浴室に配置されたトイレ６０８に連結してもよい。フラッシュバルブ装置６０４は使用者の動作の検知に基づいてトイレ６０８を洗浄するように構成してもよい。フラッシュバルブ装置６０４は装着システムの装着板６０２に取り付けてもよい。フラッシュバルブ装置６０４の装置コネクターは，装着板６０２の装着コネクターと接合させて接続（線）６１０を確立してもよい。この場合，電力はフラッシュバルブ装置６０４に供給し，及び／又は，フラッシュバルブ装置６０４と遠隔装置間の通信を簡易化してもよい。
【００２９】
図７は接続線７１０に接続したフラッシュバルブ装置７０４の例７００を示す。一例では，フラッシュバルブ装置７０４は浴室に配置された小便器７０８に連結してもよい。フラッシュバルブ装置７０４は使用者の動作の検知に基づいて小便器７０８を洗浄するように構成してもよい。フラッシュバルブ装置７０４は装着システムの装着板７０２に取り付けてもよい。フラッシュバルブ装置７０４の装置コネクターは，装着板７０２の装着コネクターと接合させて接続（線）７１０を確立してもよい。この方法により，電力はフラッシュバルブ装置７０４に供給され，及び／又は，フラッシュバルブ７０４と遠隔装置間の通信を簡易化してもよい。
【００３０】
図８を参照すると，装着システム８００の例が示されている。装着システム８００は装着板８０２及び装置８０４を備える。前述の例と同様に，装置８０４にはディスペンサ（例えば衛生製品ディスペンサ），室内モニター，浴室装置，衛生装置，衛生状況測定装置，蛇口（例えばタッチフリー又は自動蛇口），フラッシュバルブ，ペーパータオルディスペンサ，及び／又は，電力及び／又は通信を利用し得る他の装置が備えられる。
【００３１】
図８の例では，装置８０４を装着板８０２から離間して，装着板８０２に取り付けていない状態を図示している。しかし，以下に説明するように装置８０４は装着板８０２に取り付け，及び／又は装着板８０２から取り外すことができる。いくつかの例では，装着板８０２は構造体８０６に取り付けてもよい。構造体８０６は例えば，壁，表面，天井，ドア，窓，鏡等の固定設置面を備えてもよい。装着板８０２は留め具（例えば，ネジ，ボルト，ナット，釘等），接着剤，溶接，機械的係止構造（例えば，スナップ式設計等）等による多数の異なる方法で，構造体８０６に取り付けることが可能である。装置８０４では，第１面８１０及び第２面８１２が位置決めされている。この例では，第１面８１０が使用者に向くように，第１面８１０は装着板８０２及び構造体８０６から見て外側方向に向いている。第２面８１２は装着板８０２及び構造体８０６に向いている。
【００３２】
図９Ａ及び９Ｂを参照すると，装着板８０２が示されている。装着板８０２には，第１壁９００，１対の第２壁９０２，及び１対の第３壁９０４が備えられる。一例では，第１壁９００は構造体８０６から離れる方向に向いている。すなわち，装着板８０２は，第１壁９００の反対側にある構造体８０６に取り付ける。後述するように，第１壁９００は装置８０４と対面し，いくつかの例では，装置８０４と接触及び／又は係合することが可能である。一例では，第２壁９０２は，第１壁９００の対向する２辺に沿って側方に伸長している。第２壁９０２は，ほぼ垂直に伸長することが可能である。一例では，第３壁９０４は，第２壁９０２にほぼ垂直な方向に第１壁９００の対向する２辺の側方に伸長する。第３壁９０４は，この例ではほぼ水平に伸長することが可能である。
【００３３】
装着板８０２は，６つの四辺形の壁を有するほぼ直方体の形状（例えば箱状）をしている。しかし，装着板８０２はこのような形状に限定されるものではない。他の例では，装着板８０２は１つ以上の丸みを帯びた壁（例えば，円形，楕円形等），１つ以上の正方形の壁，台形の壁等を備えてもよい。
【００３４】
装着板８０２は装着構造９１０を備える。装着構造９１０は１つ以上の突起，伸長部等を備える。一例では，装着構造９１０は１つ以上の阻止部９１２及び１つ以上の取付け部９１４を備える。
【００３５】
阻止部９１２は，第１壁９００に対し可動に伸長させることができる。図示された例では４つの阻止部９１２が設けられているが，任意の数（例えば１つ又は複数）の阻止部９１２が想定される。この例では，阻止部９１２を，四辺形形状を画成するよう互いに離間させ，阻止部９１２によって前記四辺形形状の隅を位置決めする。他の例では，阻止部９１２は，第１壁９００に沿って何処にでも配置することが可能であり，図示した代表例に確定する必要は無い。
【００３６】
阻止部９１２は，第１壁９００に対して可動である。一例では，阻止部９１２は，第１壁９００内に位置決めされた開口部から伸長している。阻止部９１２は図９Ａに示す伸長位置と，図９Ｂに示す後退位置間を移動可能である。伸長位置において，阻止部９１２が，装着板８０２と適合しない装置８０４などの装置と接触及び／又は係合する部材となり得るように，阻止部９１２は外側で，かつ構造体８０６から離れていく方向に伸長する。
【００３７】
阻止部９１２は，図９Ａに示す伸長位置から図９Ｂに示す後退位置まで移動することができる。一例では，装着板８０２は，作動装置，駆動装置，１つ以上のモータ，スプリング，他の機械的及び／又は電気機械的装置等を備え，これらにより阻止部９１２の動作が制御可能である。以下に詳細に説明しているように，適合性のある装置８０４が装着板８０２に取り付けられると，作動装置，駆動装置，１つ以上のモータは選択的に阻止部９１２を伸長位置から後退位置へ移動させることが可能である。後退位置では，阻止部９１２が第１壁９００を越えて伸長しないように，阻止部９１２は装着板８０２の内部に後退させ得る。
【００３８】
取付け部９１４は，第２壁９０２に対して可動に伸長できる。一例では，取付け部９１４は，第２壁９０２から，第１壁９００に沿った平面にほぼ平行な方向に伸長する。従って取付け部９１４は，阻止部９１２に対してほぼ垂直に伸長することが可能である。図示した例では４つの取付け部９１４が設けられているが，任意の数（例えば１つ又は複数）の取付け部９１４も想定し得る。本例では２つの取付け部９１４は，第２の壁９０２のそれぞれに配置される。つまり，２つの取付け部９１４を離間した状態で左の第２壁９０２に配置し，一方，２つの取付け部９１４を離間した状態で右の第２壁９０２に配置する（例えば，右の第２壁９０２上の２つの取付け部９１４は視界から遮られている）。
【００３９】
取付け部９１４は，第２の壁９０２に対して可動である。一例では，取付け部９１４は，第２の壁９０２内に位置決めされた開口部から伸長している。取付け部９１４は図９Ｂに示す伸長位置と図９Ａに示す後退位置との間で可動である。伸長位置では，取付け部９１４は，装着板８０２から離れる方向に第２壁９０２から外側に向かって伸長することが可能である。
【００４０】
取付け部９１４は，図９Ｂに示す伸長位置から図９Ａに示す後退位置へ可動である。一例では，装着板８０２は取付け部９１４の動作（例えば，伸長及び／又は後退）を制御できる作動装置，駆動装置，１つ以上のモータ，スプリング，他の機械的及び／又は電気機械的装置等を備える。以下に詳細に説明するように，装置８０４などの適合性のある装置内に装着板８０２が受け入れられると，作動装置，駆動装置，１つ以上のモータ等は選択的に取付け部９１４を後退位置から伸長位置へ移動させることが可能である。伸長位置では，取付け部９１４は装置８０４と係合し，これにより装置８０４は装着板８０２に取り付けられた状態に維持される。後退位置では，取付け部９１４は，第２壁９０２を越えて伸長しないように，装着板８０２の内部に後退させてもよい。
【００４１】
阻止部９１２及び取付け部９１４は，装着板８０２上に支持される構成に限定されるものではないことは十分理解されているものとする。むしろ，いくつかの例では，阻止部９１２又は取付け部９１４の少なくとも一方は，取付け板８０２又は装置８０４の少なくとも一方で支持することが可能である。例えば，阻止部９１２を装着板８０２に支持し，取付け部９１４を装置８０４で支持することが可能である。別の例では，阻止部９１２を装置８０４で支持し，取付け部９１４を装着板８０２で支持することが可能である。更に別の例では，阻止部９１２及び取付け部９１４を装置８０４で支持することが可能である。これらの例では，阻止部９１２は装着板８０２への装置８０４の取付けを阻止し（例えば，装置８０４が鍵機構の条件を満たしていない場合），取付け部９１４は装着板８０２への装置８０４の着脱可能な取付けを可能にする（例えば，装置８０４が鍵機構の条件を満たしている場合）。
【００４２】
装着板８０２は装着コネクター９２０を備える。装着コネクター９２０は第１壁９００に配置可能である。この例では，装着コネクター９２０は装置８０４と対面することが可能である。装着コネクター９２０には，例えば，パワーオーバー・イーサネットコネクター，ブラインド嵌合イーサネット接続，ｃａｔ‐５接続，電話接続，及び／又は接続（例えば通信）を提供し及び／又は電力を供給することができる他のインターフェース接続が含まれる。このように，装着コネクター９２０は，装置８０４へ，及び／又は装置８０４から，電力及び／又は情報（例えばデータ）を送信及び／又は受信することが可能である。いくつかの例では，装着コネクター９２０はメス側通信ポート及び／又は電力ポートを備える。他の例では，装着コネクター９２０はオス側通信ポート及び／又は電力ポートを備える。
【００４３】
図１０を参照すると，装置８０４（例えばディスペンサ）の例が図示されている。この例では，装置８０４の第２面８１２が図示されている。装置８０４の第２面８１２により凹部１０００が画成される。一例では，凹部１０００は，装着板８０２を受け入れられる寸法及び形状である。例えば凹部１０００は，装着板８０２の断面形状（例えば四辺形）にほぼ一致する断面形状（例えば四辺形）を有する。このような例では，凹部１０００の寸法は装着板８０２とほぼ同等かそれより大きい。このように，装着板８０２は選択的に凹部１０００内に受け入れられることが可能である。
【００４４】
凹部１０００は，対面壁１００２，及び１つ以上の凹部壁１０１０ａ〜１０１０ｄによって画成される。この例では，対面壁１００２は装着板８０２に対面し，いくつかの例では，装着板８０２が凹部１０００内に受け入れられると，対面壁１００２は装着板８０２と接触可能である。凹部壁１０１０ａ〜１０１０ｄは対面壁１００２の周りの境界を画成することができる。一例では，対面壁１００２は，第１凹部壁１０１０ａ，第２凹部壁１０１０ｂ，第３凹部壁１０１０ｃ及び第４凹部壁１０１０ｄに囲まれている。凹部壁１０１０ａ〜１０１０ｄは，対面壁１００２から装着板８０２に向かう方向に外側に向かって伸長することが可能である。
【００４５】
この例では，第１凹部壁１０１０ａ及び第２凹部壁１０１０ｂはほぼ垂直に，相互に平行に伸長することが可能である。第１凹部壁１０１０ａ及び第２凹部壁１０１０ｂは，装着板８０２の側壁９０２の長さにほぼ一致する長さにすることが可能である。この例では，第３凹部壁１０１０ｃ及び第４凹部壁１０１０ｄはほぼ水平に，相互に平行に伸長することが可能である。第３凹部壁１０１０ｃ及び第４凹部壁１０１０ｄは，装着板８０２の第３壁９０４の長さにほぼ一致する長さにすることが可能である。このように，装着板８０２が凹部１０００内に受け入れられると，装着板８０２の第１凹部壁１０１０ａ及び第２凹部壁１０１０ｂは，装着板８０２の第２壁９０２の近隣に近接させて，及び／又は接触して配置される。この例では，装着板８０２が凹部１０００内に受け入れられると，第３凹部壁１０１０ｃ及び第４凹部壁１０１０ｄは，装着板８０２の第３壁９０４の近隣に近接して，及び／又は接触して配置される。
【００４６】
装置８０４により，１つ以上の装着孔１０２０ａ，１０２０ｂ，１０２０ｃ，１０２０ｄが画成され，ここに装着板８０２の取付け部９１４が着脱可能に受け入れられる。図示の例では，４つの装着孔１０２０ａ〜１０２０ｄを備えているが，他の例では，任意の数（例えば，１つ又は複数）の装着孔を備えることが可能である。装着孔１０２０ａ〜１０２０ｄは，第１凹部壁１０１０ａ及び第２凹部壁１０１０ｂに設けることが可能である。例えば，第１装着孔１０２０ａ及び第２装着孔１０２０ｂは，第１凹部壁１０１０ａ内に配置することが可能である。第３装着孔１０２０ｃ及び第４装着孔１０２０ｄは，第２凹部壁１０１０ｂに設けることが可能である。
【００４７】
この例では，装着孔１０２０ａ〜１０２０ｄは取付け部９１４とほぼ一致する場所に配置され，そうすることで，取付け部９１４は伸長位置にあるときに装着孔１０２０ａ〜１０２０ｄを貫通して伸長することが可能になる。例えば，第２装着孔１０２０ｂと第１装着孔１０２０ａの間隔は，２つの取付け部９１４の間隔と実質的に等しくすることが可能である。同様に，第４装着孔１０２０ｄと第３装着孔１０２０ｃの間隔は，２つの取付け部９１４の間隔と実質的に等しくすることが可能である。装着孔１０２０ａ〜１０２０ｄの図示した配置は限定することを意図するものではないことは十分理解されているものとする。むしろ，取付け部９１４の配置に従って，装着孔１０２０ａ〜１０２０ｄは様々な場所に配置して取付け部９１４を収容することが可能である。
【００４８】
装置８０４は，装置コネクター１０３０を備える。装置コネクター１０３０は対面壁１００２に配置することが可能である。この例では，装置コネクター１０３０は装着板８０２に対面することが可能である。装置コネクター１０３０には例えば，パワーオーバー・イーサネットコネクター，ブラインド嵌合イーサネット接続，ｃａｔ‐５接続，電話接続，及び／又は接続性（例えば通信）及び／又は電力を供給することができる他のインターフェース接続が含まれる。このように，装置コネクター１０３０は，装着板８０２へ，及び／又は装着板８０２から，電力及び／又は情報（例えばデータ）を送信及び／又は受信することが可能である。一例では，装置コネクター１０３０は，コネクタータイプ（例えば，パワーオーバー・イーサネットコネクター，ブラインド嵌合イーサネット接続，ｃａｔ‐５接続，電話接続等）の装着コネクター９２０と一致し，それにより装置コネクター１０３０と装着コネクター９２０とは適合，嵌合，係合等が可能である。
【００４９】
いくつかの例では，装置コネクター１０３０はオス側通信ポート及び／又は電力ポートを備える。他の例では，装置コネクター１０３０はメス側通信ポート及び／又は電力ポートを備える。一例では，装着コネクター９２０がメス側通信ポート及び／又は電力ポートを備える場合，装置コネクター１０３０はオス側通信ポート及び／又は電力ポートを備える。別の例では，装着コネクター９２０がオス側通信ポート及び／又は電力ポートを備える場合，装置コネクター１０３０はメス側通信ポート及び／又は電力ポートを備える。これらの例では，装着コネクター９２０は，装置の装置コネクター１０３０と接合し（例えば係合，接続，取付け等），装着板８０２と装置８０４との接続を確立する。このように，装着コネクター９２０は装置コネクター１０３０と接合し，電力及び／又は情報（例えば通信情報，データ等）は装着コネクター９２０及び装置コネクター１０３０を介して装着板８０２と装置８０４との間で送受信することが可能となる。例えば，電力又は通信の少なくとも一方は，接続を介して装置８０４に提供可能である。
【００５０】
図１１を参照すると，いくつかの例では，装着システム８００には１つ以上の鍵機構１１００及び１１０２を備えることが可能である。一例では，装着板８０２は第１鍵機構１１００を備え，装置８０４は第２鍵機構１１０２を備えてもよい。鍵機構１１００及び１１０２は図１１に概略的に図示されていることは理解されていると思われるので，鍵機構１１００及び１１０２には実際は装置８０４と装着板８０２との間で情報を通信するための数個の手段が備えられていることも理解されているものとする。実際，鍵機構１１００及び１１０２にはアンテナ及び関連するソフトウェアを備えてもよく，これらは図１１の図示した位置に限定されるものではない。
【００５１】
鍵機構１１００及び１１０２は，装着板８０２の装着構造９１０に装置８０４を取付けることを可能にする。一例では，鍵機構１１００及び１１０２には装着板８０２と装置８０４との間に通信システム（例えば無線，ブルートゥース等）を備えることが可能である。この例では，第１鍵機構１１００及び第２鍵機構１１０２は互いに通信することが可能である。例えば，装置８０４が装着板８０２に近接していると（例えば図８），装置８０４及び装着板８０２は鍵機構１１００及び１１０２を介して通信できる。
【００５２】
装置８０４が鍵機構１１００及び１１０２の条件を満たしていれば，鍵機構１１００及び１１０２は，装着板８０２の装着構造９１０への装置８０４の取付けを可能にする。一例では，第２鍵機構１１０２は，装置８０４の寸法及び／又は形状，装置８０４のメーカー，装置８０４の型番，装置８０４内に入れた詰め替え容器の種類などの，装置８０４に関する情報を送信することにより，第１鍵機構１１００と通信可能になる。鍵機構１１００及び１１０２では例えば，装置８０４が装着板８０２と適合するかどうかを判断することも行う。適合性には例えば，装着板８０２に対する装置８０４の適切な寸法及び／又は形状，装置８０４の適切な種類（例えば，特定の販売業者，メーカー等；詰め替え容器の特定の種類又はブランド；等を含む）等が挙げられる。装置８０４が鍵機構１１００及び１１０２の条件を満たしてないのであれば，鍵機構１１００及び１１０２は，装着板８０２の装着構造部９１０への装置８０４の取付けを阻止する可能性がある。
【００５３】
いくつかの例では，鍵機構１１００及び１１０２はコードを装着板８０２及び／又は装置８０４に入力する操作も行う。例えば，装着板８０２及び／又は装置８０４にはタッチパッド，キーボード又は他の情報入力装置を備えてもよい。鍵機構１１００及び１１０２は使用者又は操作者がコードを装着板８０２及び／又は装置８０４に入力することを可能にする。正しいコードを入力すると，鍵機構１１００及び１１０２の条件が満たされ，それにより鍵機構１１００及び１１０２は，装着板８０２の装着構造部９１０への装置８０４の取付けを可能にする。誤ったコードを入力すると，鍵機構１１００及び１１０２の条件が満たされず，それにより鍵機構１１００及び１１０２は，装着板８０２の装着構造部９１０への装置８０４の取付けを妨げる可能性がある。
【００５４】
別の例では，鍵機構１１００及び１１０２は，電気的な鍵機構，電磁気的な鍵機構，又は電気機械的な鍵機構の少なくとも１つを備えている。鍵機構１１００及び１１０２は概略的に図示されているのであって，実際は鍵機構１１００及び１１０２が多数の様々な構造体，部品，装置等で構成されていることは理解されているものとする。
【００５５】
一例では，鍵機構１１００及び１１０２は電気的な鍵機構を備える。例えば，装置８０４が装着板８０２に近接している場合，第１鍵機構１１００及び第２鍵機構１１０２は互いに無線で通信可能な無線通信装置を備えてもよい。装置８０４が鍵機構１１００及び１１０２（例えば，第１鍵機構１１００）の条件を満たせば，鍵機構１１００及び１１０２は装着板８０２の装着構造部への装置８０４の取付けを妨げ得る。別の例では，第１鍵機構１１００及び第２鍵機構１１０２は，例えばインダクタなどの電気機械的装置（例えば電気機械的鍵機構）を備える。このような例では，第１鍵機構１１００及び第２鍵機構１１０２は，誘導結合などによって互いに通信することができる。第１鍵機構１１００（例えば第１インダクタ）は第２鍵機構１１０２（例えば第２インダクタ）と磁気的に結合し，２つの鍵機構１１００及び１１０２間で情報を送受信することも可能である。
【００５６】
これらの例では，装置８０４が鍵機構１１００及び１１０２の条件を満たしたときに，鍵機構１１００及び１１０２は選択的に装着構造部９１０への装置８０４の取り付けを可能にする。例えば，鍵機構１１００及び１１０２は，阻止部９１２及び／又は取付け部９１４の制御動作（例えば図９Ａ及９Ｂに図示するような伸長及び後退）を制御する作動装置，駆動装置，１つ以上のモータ，スプリング，他の機械的及び／又は電気機械的装置等と通信することが可能である。従って，可能な例では，鍵機構１１００及び１１０２は，阻止部９１２及び／又は取付け部９１４を伸長及び／又は後退させる制御信号を送信するなどして作動装置，駆動装置，１つ以上のモータ，スプリング，他の機械的及び／又は電気機械的装置等と通信することにより，阻止部９１２及び／又は取付け部９１４の動作を少なくとも部分的に制御することが可能である。
【００５７】
装置８０４が鍵機構１１００及び１１０２の条件を満たすと，装着板８０２の阻止部９１２は伸長位置（例えば図９ａの図示）から後退位置（例えば，図９ｂの図示）へと移動し得る。阻止部９１２が後退位置にある場合，阻止部９１２は第１壁９００から突出せずに，代わりに装着板８０２内に後退する。このように，装着板８０２が装置８０４の凹部１０００内に受け入れられると，阻止部９１２は装置８０４の対面壁１００２に干渉，接触，係合等はしない。従って，阻止部９１２が後退位置にある場合は，阻止部９１２は装着構造９１０に装置８０４を取付けることを可能にする。
【００５８】
鍵機構１１００及び１１０２の条件が満たされると，阻止部９１２が後退位置に移動することに加えて，取付け部９１４は後退位置（例えば図９ａの図示）から伸長位置（例えば図９ｂの図示）へ移動することができる。この例では，装着板８０２を装置８０４内に受け入れ可能である。装着板８０２が適所にあれば，取付け部９１４は伸長位置に移動することが可能である。伸長位置に移動することにより，取付け部９１４は，凹部壁１０１０ａ及び１０１０ｂ内に位置決めされた装着孔１０２０ａ〜１０２０ｄを貫通して伸長することが可能である。例えば，取付け部９１４のうちの２つは，第１凹部壁１０１０ａの第１装着孔１０２０ａ及び第２装着孔１０２０ｂを貫通して伸長することが可能である。同様に，取付け部９１４のうちの２つは，第２凹部壁１０１０ｂの第３装着孔１０２０ｃ及び第４装着孔１０２０ｄを貫通して伸長することが可能である。取付け部９１４が装着孔１０２０ａ〜１０２０ｄ内に受け入れられ，そこを貫通して伸長すると，装置８０４は装着板８０２に取り付けられ，それにより装着板８０２から装置８０４が偶発的に外れることが制限される。
【００５９】
これらの例では，装置８０４が鍵機構１１００及び１１０２の条件を満たさないとき，鍵機構１１００及び１１０２は装着構造９１０への装置８０４の取付けを選択的に阻止することが可能である。例えば，装置８０４が鍵機構１１００及び１１０２の条件を満たさない場合，装着板８０２の阻止部９１２を伸長位置に残すことが可能である（例えば，図９ａの図示）。伸長位置において使用者が装着板８０２を装置８０４の凹部１０００に挿入しようとしても，阻止部９１２は装置８０４の対面壁１００２と接触／係合する。このように，伸長位置では阻止部９１２は装着板８０２の凹部１０００内に対する受け入れを阻止することから，装着板８０２への装置８０４の取付けも阻止され得る。
【００６０】
簡潔に図８を参照すると，いくつかの例では，外部装置１１５０を装着板８０２又は装置８０４の少なくとも１つと通信するために提供し得る。外部装置１１５０は概略的に図示されているのであって，実際は外部装置１１５０には多数の異なる構造体，部品等が備えられていることは十分理解されているものとする。例えば，外部装置１１５０は携帯装置（例えば携帯電話等），タブレット，フォブ，コンピュータ等を備えることが可能である。少なくともいくつかの例では，外部装置１１５０は無線通信，ブルートゥース等を介して装着板８０２及び／又は装置８０４と通信することが可能である。外部装置１１５０は選択的に鍵機構１１００及び１１０２の条件を満たすと，装着構造部９１０に対する装置８０４を取り外し可能な取り付けを可能とする。例えば，装置８０４が装着板８０２に近接した位置にあるとき，外部装置１１５０は，装着板８０２及び／又は装置８０４の近接及び／又は接触を可能とする。一例では，外部装置１１５０は，第１鍵機構１１００の条件充足（例えば装置８０４が適合性を有することの装着板８０２に対する通知）のために装着板８０２と（例えば無線通信，ブルートゥース等を介して）通信を行い，それにより装置８０４は装着構造９１０に着脱可能に取り付けることが可能になる。従って，外部装置１１５０との通信の結果として，阻止部９１２は後退位置に移動し，取付け部９１４は伸長位置に移動し，装着構造部９１０に装置８０４を取付けることを可能にする。いくつかの例では，外部装置１１５０は装置への電気的接続や装置８０４との電磁結合等により，装置８０４に電力を供給することが可能である。
【００６１】
図１２Ａを参照すると，装着システム８００の断面が図示されており，装置８０４が装着板８０２に取り付けられている。このような例では，装置８０４及び装着板８０２が取り付けられると，装着コネクター９２０及び装置コネクター１０３０の嵌合が可能になる。このように，装着コネクター９２０が装置コネクター１０３０と嵌合すると，装着板８０２と装置８０４との間で接続が確立することが可能になる。例えば，装着コネクター９２０と装置コネクター１０３０との嵌合などにより，接続を介して電力を装着板８０２から装置８０４に供給することが可能になる。該構成に加え，又は代替的に，装着コネクター９２０と装置コネクター１０３０との嵌合などにより，接続を介して情報を装着板８０２と装置８０４との間で送信することが可能になる。
【００６２】
上記例では，装置８０４は，装着板８０２と装置８０４との通信を簡易化する通信モジュールを備えることも可能である。一例では，接続を介して遠隔装置１２００から装置８０４までの通信を簡易化することができる。例えば，遠隔装置１２００により，命令，データ収集要求，ディスプレイへの視覚化，及び／又は他の情報などの情報１２０２を，装着コネクター９２０及び装置コネクター１０３０を介して装置８０４に送信し，処理してもよい。
【００６３】
図１２Ｂを参照すると，別の例では，装置８０４から装着コネクター９２０及び装置コネクター１０３０を介して遠隔装置１２００までの通信を簡易化することが可能である。例えば，装置８０４により現時点での装置の状態，使用量の計量，メンテナンス情報及び／又は他の情報などの情報１２０４を，装着コネクター９２０及び装置コネクター１０３０を介して遠隔装置１２００に送信してもよい。
【００６４】
更に別の例では，装置８０４は電圧制御可能な電圧降下装置，電流制限装置，漏電遮断器等の１つ以上の電源部品を備えてもよい。この例では，装置８０４に電力を供給するために，電力が装着板８０２から装置８０４に送信され供給される。このように電力及び／又は通信が，装着板８０２と装置８０４との間に供給される。
【００６５】
装着システム８００は，本明細書に図示され，説明されている部品，構造等に限定される訳ではないことは十分理解されているものとする。他の例では，装着板８０２及び装置８０４のうちのいずれか一方又は双方はアンテナを備えてもよい。アンテナは装着板８０２及び／又は装置８０４との間で情報（例えば，命令，データ収集要求，ディスプレイへの視覚化，現時点の装置状態，使用量の計量，メンテナンス情報等）を送信及び／又は受信することが可能である。いくつかの例では，アンテナは装着板８０２と遠隔装置（例えば遠隔装置１２００）との間で情報を送信及び／又は受信することが可能である。いくつかの例では，アンテナは，装置８０４と遠隔装置（例えば遠隔装置１２００）との間で情報を送信及び／又は受信することが可能である。
【００６６】
図１３を参照すると，別の例示的なシステム１３００が図示されている。この例では，システム１３００は電力供給ネットワーク，電気通信ネットワーク，コンピュータネットワーク等のネットワーク１３０２に接続可能である。この例では，ネットワーク１３０２はシステム１３００に電力供給するように構成されている。
【００６７】
システム１３００は第１ディスペンサ１３０４及び第２ディスペンサ１３０６を備える。第１ディスペンサ１３０４及び第２ディスペンサ１３０６は，製品（例えば殺菌剤，保湿剤等）を収容する貯蔵器，及びノズルを備えてもよい。第１ディスペンサ１３０４及び第２ディスペンサ１３０６は概略的に図示されているのであって，実際はディスペンサ（例えば第１ディスペンサ１３０４，第２ディスペンサ１３０６等）には任意の数の構築物，構造物等が備えられていることは十分理解されているものとする。一例では，第１ディスペンサ１３０４及び第２ディスペンサ１３０６は構造体（例えば壁，ドア，窓等）に取り付けず，代わりにこれらの表面に置いてもよい。また，図１３では２つのディスペンサ（例えば，第１ディスペンサ１３０４，第２ディスペンサ１３０６等）を図示しているが，任意の数（例えば１つ又は複数）のディスペンサをシステム１３００の一部として備えてもよいことは十分理解されているものとする。
【００６８】
第１ディスペンサ１３０４は第１通信ケーブル１３０８を介してネットワーク１３０２に接続することが可能である。第１通信ケーブル１３０８は例えば，パワーオーバー・イーサネット接続，ブラインド嵌合イーサネット接続，ｃａｔ‐５接続，電話接続，及び／又は，第１ディスペンサ１３０４に接続及び／又は電力を供給し得る他のインターフェース接続を含む。第１通信ケーブル１３０８は第１ディスペンサ１３０４の第１通信ポート１３１０と接続することが可能である。一例では，第１通信ポート１３１０は，インターフェースを備え，これを介して電力及び／又は情報が第１ディスペンサ１３０４に送信され，及び／又は１３０４から出力される。第１通信ポート１３１０は例えば，シリアルポート，シリアルバス，電話コネクター，イーサネットコネクター，他の種類のモジュラーコネクター，電源コネクタープラグ等を備えることが可能である。このように，電力及び／又は情報は，ネットワーク１３０２と第１ディスペンサ１３０４との間で，第１通信ケーブル１３０８及び第１通信ポート１３１０を介して送信可能である。
【００６９】
一例では，第１ディスペンサ１３０４は通信モジュール２２２，電圧降下装置２６０，電流制限装置２６２及び信号調整器１３１２を備える。通信モジュール２２２，電圧降下装置２６０，電流制限装置２６２及び信号調整器１３１２は第１通信ポート１３１０と電気的に通信することも可能である。一例では，電圧降下装置２６０は，ネットワーク１３０２から送信された電力の電圧を約１８ボルト未満まで降下し，それにより湿性感電の危険の可能性を軽減する。一例では，信号調整器１３１２は第１通信ケーブル１３０８からの入力信号を操作し，それにより入力信号がネットワーク１３０２を介して送信された他の信号に干渉しないようにすることが可能である。従って，第１ディスペンサ１３０４はネットワーク１３０２から電力及び／又は情報を受信し，よって第１ディスペンサ１３０４に電力供給される。
【００７０】
第２ディスペンサ１３０６はいくつかの点で第１ディスペンサ１３０４に類似している。例えば，いくつかの例で第２ディスペンサ１３０６には，通信モジュール２２２，電圧降下装置２６０，電流制限装置２６２，信号調整器１３１２等を備えることが可能である。一例では，第２ディスペンサ１３０６は第２通信ケーブル１３１４を介して第１ディスペンサ１３０４に接続することが可能である。第２通信ケーブル１３１４は第１通信ケーブル１３０８と同じものにすることも可能であり，それにより第２通信ケーブル１３１４はパワーオーバー・イーサネット接続，ブラインド嵌合イーサネット接続，ｃａｔ‐５接続，電話接続，及び／又は，第２ディスペンサ１３０６に接続性及び／もしくは電力を供給することができる他のインターフェース接続を含む。
【００７１】
第２通信ケーブル１３１４は第２ディスペンサ１３０６の第２通信ポート１３１６及び第１ディスペンサ１３０４の通信部と接続することが可能である。一例では，第２通信ポート１３１６はインターフェースを備え，これを介して電力及び／又は情報が第２ディスペンサ１３０６に送信され，及び／又は１３０６から出力される。第２通信ポート１３１６は例えば，シリアルポート，シリアルバス，電話コネクター，イーサネットコネクター，他の種類のモジュラーコネクター，電源コネクタープラグ等を備えることが可能である。このように，電力及び／又は情報は第１ディスペンサ１３０４を介してネットワーク１３０２から第２ディスペンサ１３０６に送信可能である。他の例では，追加のディスペンサ（例えば第３ディスペンサ，第４ディスペンサ等）を，第１ディスペンサ１３０４及び第２ディスペンサ１３０６と直列に連結させて提供することも可能であることは十分理解されているものとする。例えば，第２ディスペンサ１３０６を第１ディスペンサ１３０４に電気的に接続する方法と同様に，第３ディスペンサは第２ディスペンサ１３０６に電気的に接続することが可能である。
【００７２】
さらに別の実施形態は，本明細書で提示される技術の１つ以上を実現するように構成されたプロセッサ実行可能命令を含むコンピュータ可読媒体に関する。コンピュータ可読媒体又はコンピュータ可読装置の例示的な実施形態を図１４に示しており，この場合の実現形態１４００は，ＣＤ−Ｒ，ＤＶＤ−Ｒ，フラッシュドライブ，ハードディスクドライブのプラッタなどのようなコンピュータ可読媒体１４０８を含み，その上にコンピュータ可読データ１４０６が符号化されている。０又は１の少なくとも一方を含むバイナリデータのような，このコンピュータ可読データ１４０６は，これにより，本明細書に記載の原理の１つ以上に従って動作するように構成されたコンピュータ命令１４０４のセットを構成している。いくつかの実施形態において，プロセッサ実行可能コンピュータ命令１４０４は，例えば，図１の例示的な方法１００の少なくとも一部を実行するように構成されている。いくつかの実施形態において，プロセッサ実行可能命令１４０４は，例えば，図２Ａの例示的なシステム２００の少なくとも一部，図３Ａの例示的なシステム３００の少なくとも一部，図４Ａの例示的なシステム４００の少なくとも一部，図５の例示的なシステム５００の少なくとも一部，図６の例示的なシステム６００の少なくとも一部，図７の例示的なシステム７００の少なくとも一部，図８の例示的なシステム８００の少なくとも一部，及び／又は図１３の例示的なシステム１３００の少なくとも一部などのシステムを実現するように構成されている。本明細書で提示される技術に従って動作するように構成された，多くのこのようなコンピュータ可読媒体が，当業者によって考案される。
【００７３】
主題について，構造的特徴及び／又は方法論的動作に特化した表現で説明したが，添付の請求項で規定される主題は，上記の特定の特徴又は動作に必ずしも限定されないことは理解されるべきである。むしろ，上記の具体的な特徴及び動作は，請求項の少なくとも一部を実現する例示的形態として開示している。
【００７４】
本出願で使用される場合の，「コンポーネント」，「モジュール」，「システム」，「インターフェース」という用語，及び／又は類似の用語は，一般的に，ハードウェア，ハードウェアとソフトウェアの組み合わせ，ソフトウェア，又は実行中のソフトウェアのいずれかであるコンピュータ関連エンティティを指すものである。例えば，コンポーネントは，プロセッサ上で動作するプロセス，プロセッサ，オブジェクト，実行ファイル，実行スレッド，プログラム，及び／又はコンピュータであり得るが，ただし，これらに限定されない。例として，コントローラ上で動作するアプリケーションと，コントローラは，どちらもコンポーネントであり得る。１つ以上のコンポーネントを，１つのプロセス及び／又は実行スレッドに含むことができ，１つのコンポーネントを，１つのコンピュータ上に局在化させること，及び／又は２つ以上のコンピュータに分散させることができる。
【００７５】
また，開示の主題を実現するようにコンピュータを制御するソフトウェア，ファームウェア，ハードウェア，又はそれらの任意の組み合わせを生成するために標準的なプログラミング及び／又は工学技術を用いて，請求項に係る主題を，方法，装置，又は製造品として実現することができる。本明細書で使用される場合の「製造品」という用語は，任意のコンピュータ可読装置，キャリア，又は媒体からアクセス可能なコンピュータプログラムを包含するものである。当然のことながら，本構成に対して，請求項に係る主題の範囲又は趣旨から逸脱することなく，数多くの変更を実施することができる。
【００７６】
図１５及び以下の解説は，本明細書に記載の規定のうちの１つ以上の実施形態を実施するのに適したコンピューティング環境についての簡単な概要を提示している。図１５の動作環境は，適切な動作環境の一例にすぎず，その動作環境の利用範囲又は機能に関して何らかの限定を示唆するものではない。コンピュータデバイスの例として，パーソナルコンピュータ，サーバコンピュータ，ハンドヘルド又はラップトップデバイス，モバイルデバイス（携帯電話機，パーソナルデジタルアシスタント（ＰＤＡ），メディアプレーヤなど），マルチプロセッサシステム，家庭用電子機器，ミニコンピュータ，メインフレームコンピュータ，上記のシステム又はデバイスのいずれかを含む分散コンピューティング環境などが含まれるが，ただし，これらに限定されない。
【００７７】
実施形態は，１つ以上のコンピュータデバイスで実行される「コンピュータ可読命令」という一般的文脈において説明されるものの，これは必須ではない。コンピュータ可読命令は，（後述の）コンピュータ可読媒体によって分散させることができる。コンピュータ可読命令は，特定のタスクを実行するか，又は特定の抽象データ型を実現する関数，オブジェクト，アプリケーションプログラミングインターフェース（ＡＰＩ），データ構造などのようなプログラムモジュールとして実現することができる。一般に，コンピュータ可読命令の機能は，様々な環境における要求に応じて，統合又は分散させることができる。
【００７８】
図１５は，本明細書で提示する１つ以上の実施形態を実施するために構成されたコンピュータデバイス１５１２を備えるシステム１５００の一例を示している。一構成では，コンピュータデバイス１５１２は，少なくとも１つの処理装置１５１６及びメモリ１５１８を備える。コンピュータデバイスの厳密な構成及びタイプに応じて，メモリ１５１８は，（例えば，ＲＡＭのような）揮発性，（例えば，ＲＯＭ，フラッシュメモリなどのような）不揮発性，又はこれら２つの何らかの組み合わせとすることができる。この構成を，図１５に破線１５１４で示している。
【００７９】
他の実施形態では，デバイス１５１２は，さらに追加の特徴及び／又は機能を備えることができる。例えば，デバイス１５１２は，さらに，追加の（例えば，リムーバブル及び／又は非リムーバブル）記憶装置を備えることができ，それには，磁気記憶装置，光学記憶装置などが含まれるが，ただし，これらに限定されない。このような追加の記憶装置を，図１５に記憶装置１５２０で示している。一実施形態では，本明細書で提示する１つ以上の実施形態を実施するためのコンピュータ可読命令は，記憶装置１５２０内にあってよい。記憶装置１５２０は，さらに，オペレーティングシステム，アプリケーションプログラムなどを実現するための他のコンピュータ可読命令を記憶することもできる。コンピュータ可読命令は，例えば，処理装置１５１６で実行するためにメモリ１５１８にロードすることができる。
【００８０】
本明細書で使用される場合の「コンピュータ可読媒体」という用語は，コンピュータ記憶媒体を含む。コンピュータ記憶媒体として，コンピュータ可読命令又は他のデータなどの情報を記憶するための任意の方法もしくは技術で実現される揮発性及び不揮発性，リムーバブル及び非リムーバブルの媒体が含まれる。メモリ１５１８及び記憶装置１５２０は，コンピュータ記憶媒体の例である。コンピュータ記憶媒体として，ＲＡＭ，ＲＯＭ，ＥＥＰＲＯＭ，フラッシュメモリもしくは他のメモリ技術，ＣＤ−ＲＯＭ，デジタル多用途ディスク（ＤＶＤ）もしくは他の光学記憶装置，磁気カセット，磁気テープ，磁気ディスク記憶装置もしくは他の磁気記憶装置，又は所望の情報を記憶するのに用いることができ，デバイス１５１２によるアクセスが可能な他の任意の媒体が含まれるが，ただし，これらに限定されない。このようなコンピュータ記憶媒体は，いずれも，デバイス１５１２の一部とすることができる。
【００８１】
デバイス１５１２は，さらに，デバイス１５１２が他のデバイスと通信することを可能とする通信接続（群）１５２６を有することができる。通信接続（群）１５２６として，モデム，ネットワークインターフェースカード（ＮＩＣ），統合ネットワークインターフェース，無線周波数送信機／受信機，赤外線ポート，ＵＳＢ接続，又はコンピュータデバイス１５１２を他のコンピュータデバイスに接続するための他のインターフェースを含むことができるが，ただし，これらに限定されない。通信接続（群）１５２６は，有線接続又は無線接続を含むことができる。通信接続（群）１５２６によって，通信媒体を送信及び／又は受信することができる。
【００８２】
「コンピュータ可読媒体」という用語は，通信媒体を含み得る。通信媒体は，一般に，コンピュータ可読命令又は他のデータを，搬送波又は他の転送機構などの「変調データ信号」に表現するものであり，また，任意の情報配信媒体を含む。「変調データ信号」という用語は，その信号に情報を符号化するように，その特性の１つ以上が設定又は変更された信号を含み得る。
【００８３】
デバイス１５１２は，キーボード，マウス，ペン，音声入力装置，タッチ入力装置，赤外線カメラ，ビデオ入力装置，及び／又は他の任意の入力装置などの入力装置（群）１５２４を備えることができる。さらに，１つ以上のディスプレイ，スピーカ，プリンタ，及び／又は他の任意の出力装置などの出力装置（群）１５２２を，デバイス１５１２に備えることができる。入力装置（群）１５２４及び出力装置（群）１５２２は，有線接続，無線接続，又はそれらの任意の組み合わせによって，デバイス１５１２に接続することができる。一実施形態では，他のコンピュータデバイスからの入力装置又は出力装置を，コンピュータデバイス１５１２のための入力装置（群）１５２４又は出力装置（群）１５２２として使用することができる。
【００８４】
コンピュータデバイス１５１２のコンポーネントは，バスなどの種々の相互接続によって接続することができる。そのような相互接続として，ＰＣＩ  Ｅｘｐｒｅｓｓのようなペリフェラルコンポーネントインタコネクト（ＰＣＩ），ユニバーサルシリアルバス（ＵＳＢ），ＦｉｒｅＷｉｒｅ（ＩＥＥＥ  １３９４），光バス構造などを含むことができる。他の実施形態では，コンピュータデバイス１５１２のコンポーネントは，ネットワークによって相互接続することができる。例えば，メモリ１５１８は，ネットワークで相互接続された物理的に異なる場所に配置された複数の物理メモリユニットで構成することができる。
【００８５】
コンピュータ可読命令を記憶するために使用される記憶装置を，ネットワーク上に分散させてもよいことは，当業者であれば理解できるであろう。例えば，ネットワーク１５２８を介してアクセス可能なコンピュータデバイス１５３０で，本明細書で提示する１つ以上の実施形態を実施するためのコンピュータ可読命令を記憶することができる。コンピュータデバイス１５１２は，コンピュータデバイス１５３０にアクセスして，コンピュータ可読命令の一部又は全部を，実行のためにダウンロードすることができる。あるいは，コンピュータデバイス１５１２は，必要に応じて，コンピュータ可読命令の断片をダウンロードすることができ，又は，一部の命令はコンピュータデバイス１５１２で実行し，一部の命令はコンピュータデバイス１５３０で実行することができる。
【００８６】
いくつかの実施形態の様々な操作を，本明細書で提示している。一実施形態では，記載した操作の１つ以上で，１つ以上のコンピュータ可読媒体に記憶されるコンピュータ可読命令を構成することができ，それらは，コンピュータデバイスで実行されることで，該コンピュータデバイスに，記載の操作を実行させる。それらの操作の一部又は全部について記載された順序は，それらの操作が必ず順序に依存することを意味するものと解釈されてはならない。他の順序で，本記載の効果を得られることは，当業者であれば理解できるであろう。また，全ての操作が，本明細書で提示した各実施形態に必ずしも含まれるわけではないことは理解されるであろう。さらに，一部の実施形態では，全ての操作が必要なわけではないことも理解されるであろう。
【００８７】
また，「第１」，「第２」，及び／又は類似の用語は，別段の規定がある場合を除き，時間的側面，空間的側面，順序などを意味するものではない。むしろ，これらの用語は，特徴，要素，アイテムなどの，単なる識別子，名称などとして使用される。例えば，第１のオブジェクトと第２のオブジェクトは，一般的に，オブジェクトＡとオブジェクトＢ，又は２つの異なるもしくは２つの同等のオブジェクト，又は１つの同じオブジェクトに相当する。
【００８８】
また，本明細書で使用される場合の「例示的」とは，必ずしも効果的なものとしてではなく，一例，実例，説明などとして役立つことを意味する。本明細書で使用される場合の「又は」は，排他的な「又は」ではなく，包含的な「又は」を意味するものである。さらに，本出願で使用される場合の「a」及び「an」は，別段の規定がある場合，又は単数形を指していることが文脈から明らかである場合を除き，一般的には，「１つ又は複数」を意味するものと解釈される。また，「ＡとＢの少なくとも一方」，及び／又は類似の表現は，一般に，「Ａ又はＢ」を意味するか，又は「ＡとＢの両方」を意味する。さらに，「含む（includes）」，「有している（having）」，「有する（has）」，「有して（with）」，及び／又はこれらの変化形は，詳細な説明又は請求項のいずれかで使用される限りにおいて，これらの用語は，「備えている（comprising）」という用語と同様に包含的な意味のものである。
【００８９】
また，本開示について，１つ以上の実現形態に関連して図示及び説明したが，他の当業者は，本明細書及び添付の図面を読解及び理解することで，均等な変更及び変形に想到するであろう。本開示は，かかるすべての変形及び変更を含むものであり，以下の請求項の範囲によってのみ限定される。特に上記のコンポーネント（例えば，要素，リソースなど）によって実行される種々の機能に関して，かかるコンポーネントを記述するために使用される用語は，特に指定のない限り，開示の構造と構造的に等価ではなくても，記載のコンポーネントの特定の機能を実行する（例えば，機能的に等価である）任意のコンポーネントに該当するものとする。さらに，本開示の特定の特徴が，いくつかの実現形態のうちの１つのみに関して開示されていることがあるものの，かかる特徴は，要求に応じて，所与又は特定の用途に効果的であり得るように，その他の実現形態における１つ以上の他の特徴と組み合わせることができる。
【図１Ａ】
2017514535.tif 000003
【図１Ｂ】
2017514535.tif 000004
【図２Ａ】
2017514535.tif 000005
【図２Ｂ】
2017514535.tif 000006
【図２Ｃ】
2017514535.tif 000007
【図２Ｄ】
2017514535.tif 000008
【図２Ｅ】
2017514535.tif 000009
【図２Ｆ】
2017514535.tif 000010
【図３Ａ】
2017514535.tif 000011
【図３Ｂ】
2017514535.tif 000012
【図４Ａ】
2017514535.tif 000013
【図４Ｂ】
2017514535.tif 000014
【図５】
2017514535.tif 000015
【図６】
2017514535.tif 000016
【図７】
2017514535.tif 000017
【図８】
2017514535.tif 000018
【図９Ａ】
2017514535.tif 000019
【図９Ｂ】
2017514535.tif 000020
【図１０】
2017514535.tif 000021
【図１１】
2017514535.tif 000022
【図１２Ａ】
2017514535.tif 000023
【図１２Ｂ】
2017514535.tif 000024
【図１３】
2017514535.tif 000025
【図１４】
2017514535.tif 000026
【図１５】
2017514535.tif 000027
【国際調査報告】
2017514535.tif 000028
2017514535.tif 000029
2017514535.tif 000030
2017514535.tif 000031
2017514535.tif 000032
2017514535.tif 000033